(57)【特許請求の範囲】
【請求項１】
光ファイバ余長収納トレイを懸架するためのフック体と、光ファイバ余長収納トレイの左右側部を保持する一対の側部保持手段と、光ファイバ余長収納トレイの下部を保持する下部保持手段とを有し、
懸架される前記光ファイバ余長収納トレイは、
柔軟性を有する部材で一体に形成された複数の薄板で構成され、
前記複数の薄板は上下方向に連結されてその連結部で折り曲げ可能であり、
そのうちの少なくとも１枚の薄板に光ファイバを巻回収納するために前記薄板を切り欠き形成した光ファイバ保持手段を備え、
更に何れか１枚の薄板の端部に前記連結された薄板を前記フック体に懸架するための懸架手段を有し、
連結された薄板を重ねるように折り曲げて形成される内部空間を光ファイバ収納部とし、
前記フック体、側部保持手段及び前記下部保持手段は、懸架或いは保持する光ファイバ余長収納トレイの背部に伸びる脚部を夫々有し、前記脚部で囲まれる光ファイバ余長収納トレイ背部の空間に光ファイバ巻回空間を備えることを特徴とするトレイ収容構造。
【請求項２】
前記光ファイバ余長収納トレイの前記光ファイバ保持手段は、巻回収納した光ファイバのトレイ側方へのはみ出しを防止するために対向する内側へ向けて自由端を設けた第１の保持手段と、巻回収納した光ファイバの曲げ半径の最小を制限するために前記第１保持手段内に左右外方へ向けて自由端を設けた第２の保持手段とを有する請求項１記載のトレイ収容構造。
【請求項３】
前記薄板の前記連結部に、光ファイバを挟持するために切り欠き形成した挟持手段を設けた請求項１又は２記載のトレイ収容構造。
【請求項４】
請求項１乃至３の何れかに記載のトレイ収容構造を備えたことを特徴とする光クロージャ。
【発明の詳細な説明】
【技術分野】
【０００１】
本発明は、光ファイバの余長分を収納する光ファイバ余長収納トレイを収容するトレイ収容構造、及びそのトレイ収容構造を備えた光クロージャに関する。
【背景技術】
【０００２】
電柱等に架空配設された光ファイバを屋内に引き込む場合、芯線同士を接続して光ファイバの余長分を収容するための箱状の光クロージャが使用される。この光クロージャは、内部に光ファイバ連結部を保持するための溶着部保持部、光ファイバ余長分を収容する余長収容空間を備え、余長収容空間には専用のトレイを設けて光ファイバの余長分を収納するよう構成されている。
このトレイは、通常段積みが可能に形成され、収納する光ファイバ毎に個別に収納して段積みして光クロージャ内に組み付けられる（例えば、特許文献１参照）。
【特許文献１】特開２０００−２８７３４５号公報
【発明の開示】
【発明が解決しようとする課題】
【０００３】
しかし、上記従来の構成のトレイは、１つのトレイに１本の光ファイバを収納する形態であっても、高さ（厚み）が光ファイバの径に比べて充分高いし、トレイ自体にも厚みがあるため、収納する光ファイバの数が多い場合、段積みした高さが大きくなり、光クロージャの余長収容空間は大きな空間が必要であった。
そこで、本発明はこのような問題点に鑑み、多数の光ファイバ余長分を少ない空間で分離収容できる光ファイバ余長収納トレイを収容するトレイ収容構造、更にそのトレイ収容構造を備えた光クロージャを提供することを目的とする。
【課題を解決するための手段】
【０００４】
上記課題を解決する為に、請求項１に記載の発明に係るトレイ収納構造は、光ファイバ余長収納トレイを懸架するためのフック体と、光ファイバ余長収納トレイの左右側部を保持する一対の側部保持手段と、光ファイバ余長収納トレイの下部を保持する下部保持手段とを有し、懸架される前記光ファイバ余長収納トレイは、柔軟性を有する部材で一体に形成された複数の薄板で構成され、前記複数の薄板は上下方向に連結されてその連結部で折り曲げ可能であり、そのうちの少なくとも１枚の薄板に光ファイバを巻回収納するために前記薄板を切り欠き形成した光ファイバ保持手段を備え、更に何れか１枚の薄板の端部に前記連結された薄板を前記フック体に懸架するための懸架手段を有し、連結された薄板を重ねるように折り曲げて形成される内部空間を光ファイバ収納部とし、前記フック体、側部保持手段及び前記下部保持手段は、懸架或いは保持する光ファイバ余長収納トレイの背部に伸びる脚部を夫々有し、前記脚部で囲まれる光ファイバ余長収納トレイ背部の空間に光ファイバ巻回空間を備えることを特徴とする。
【０００５】
この構成により、収容したトレイの背部でも光ファイバを巻回収容可能とすることで、１つのトレイを用いるだけで先行する分岐前の光ファイバと分岐した光ファイバを分離して収容することが可能となり、メンテナンス作業等がし易くなる。特に、クロージャ内にて光ファイバを収納する場合、光が通っている活線状態の先行配線光ファイバをトレイ内にまとめて収納し、フック体に懸架したまま作業することができ、分岐作業等で活線状態の光ファイバにストレスが加わるようなことがない。
また、フック体、下部保持手段、側部保持手段によりトレイの周囲を保持するので安定して保持できるし、トレイ収容構造に設けた脚部により光ファイバ巻回空間が形成されるので、光ファイバを良好に巻回収容でき、メンテナンス作業がし易い。
更に、収納される光ファイバ収納トレイは、柔軟性を有する薄板を重ね合わせて光ファイバ収納部を形成するので、収納する光ファイバの径及び巻回数によりトレイの厚みが決定され、最小の厚みでトレイを形成できる。そのため、複数の光ファイバを収容するために複数のトレイを重ね合わせても全体の厚さを僅かなものにでき、トレイを含む光ファイバ収容空間を省スペースで形成できる。
尚、ここで言う「柔軟性を有する」とは、復元力（弾性）を有する性質を含むし、単に変形し易い例えば紙類も含む。
【０００６】
請求項２の発明は、請求項１に記載の発明において、前記光ファイバ余長収納トレイの前記光ファイバ保持手段は、巻回収納した光ファイバのトレイ側方へのはみ出しを防止するために対向する内側へ向けて自由端を設けた第１の保持手段と、巻回収納した光ファイバの曲げ半径の最小を制限するために前記第１保持手段内に左右外方へ向けて自由端を設けた第２の保持手段とを有することを特徴とする。
この構成により、トレイに収納した光ファイバがはみ出すことがないし、曲げ半径の最小が規定されるので、光ファイバが引っ張られた状態が発生しても最小曲率を割り込むことがなく、折れたり特性が劣化するようなことがない。
【０００７】
請求項３の発明は、請求項１又は２に記載の構成において、前記薄板の前記連結部に、光ファイバを挟持するために切り欠き形成した挟持手段を設けたことを特徴とする。
この構成により、光ファイバを良好に収納することができる。
【０００８】
請求項４の発明に係る光クロージャは、請求項１乃至３の何れかに記載のトレイ収容構造を備えたことを特徴とする。
この構成により、光ファイバ収容空間を小さくでき、光クロージャ全体の小型軽量化を図ることができる。また、トレイ内及びその背部に光ファイバは収容されるので、光クロージャの蓋体等を締める際、光ファイバを挟み込むようなことがない。
【発明の効果】
【０００９】
このように、本発明のトレイ収容構造によれば、収容したトレイの背部でも光ファイバを巻回収容でき、１つのトレイを用いるだけで先行する分岐前の光ファイバと分岐した光ファイバを分離して収容でき、メンテナンス作業等がし易くなる。
また、本発明の光クロージャによれば、光ファイバ収容空間を小さくでき、光クロージャ全体の小型軽量化を図ることができる。
【発明を実施するための最良の形態】
【００１０】
以下、本発明を具体化した実施の形態を、図面に基づいて詳細に説明する。図１は光ファイバ余長収納トレイ（以下、単にトレイとする。）の一例を示す正面図であり、上下に連結された３枚の薄板１（１ａ，１ｂ，１ｃ）から成り、全体は合成樹脂製フィルムを打ち抜いて一体に形成されている。尚、２は収納した光ファイバを示している。
【００１１】
薄板１は夫々四角形状に形成され、連結部３は薄板１より更に薄肉に形成され折り曲げ容易に形成されている。中央の薄板１ｂは、光ファイバ保持手段としての光ファイバ保持片４が上下左右の４箇所に形成され、上部には一対の懸架手段としての透孔５が形成されている。
上下に設けられた光ファイバ保持片４は、端部からコ字状の切り込みを入れて切り欠き形成された挟持手段としての舌状片４ａであり、上下対称に形成され、上側薄板１ａとの連結部或いは下側薄板１ｂとの連結部から切り込みを設けて形成されている。そして、対向する内側に向けた自由端を備えている。また、舌状片４ａの内部には、端部方向に向けて自由端を有する第２の保持手段としての爪片７ａが打ち抜き形成され、収納した光ファイバ２を舌状片４ａにより挟持すると共に、爪片７ａにより挟持した光ファイバの飛び出しを防止するよう構成されている。
【００１２】
一方、左右に設けられた光ファイバ保持片４は、コ字状のスリット８を形成して設けた第１の保持手段としての舌状片４ｂであり、左右対称に形成され、夫々端部近傍で薄板１ｂに連結され、対向する内側に向けた自由端を備えている。また、舌状片４ｂの内部には、外方向に向けて自由端を有する第２の保持手段としての爪片７ｂが打ち抜き形成され、上下に設けた光ファイバ保持片４と同様に収納した光ファイバを挟持すると共に、爪片７ｂにより保持した光ファイバの飛び出しを防止するよう構成されている。
更に、上下に設けた舌状片４ａの爪片７ａと、左右に設けた舌状片４ｂの爪片７ｂとで、保持した光ファイバの最小曲率（曲げ半径の最小）が決定され、保持した光ファイバは外部から不用意に引っ張られても、これら４つの爪片７ａ，７ａ，７ｂ，７ｂにより決定された最小曲率を割り込むことがない。
そして、透孔５は上側薄板１ａとの連結部３を左右から挟むように上方に突出するように形成され、後述する懸架対象を挿入して懸架するために縦長に形成されている。
【００１３】
図２はトレイを折り曲げる途中の状態を示し、図示するＡ，Ｂの順に重ねるように折り曲げて内部となる中央の薄板１ｂの前面に光ファイバ収納部が形成される。
尚、光ファイバ保持片４は４箇所に設けているが、少なくとも１対あれば光ファイバを保持することは可能であるし、３つ設けても良いし５個以上設けても良い。また、透孔５は一対設けられているが、中央の薄板１ｂの上方中央に１つだけ設けても良い。
また、舌状片４ａ，４ｂと爪片７ａ、７ｂの向きを逆向きで形成しても良い。但し、舌状片４ａ，４ｂとその内部に設けた爪片７ａ，７ｂの向きは互いに逆向きのままである。
【００１４】
このように、柔軟性を有する薄板を重ね合わせて光ファイバ収納部を形成するので、収納する光ファイバの径及び巻回数によりトレイの厚みが決定され、最小の厚みでトレイを形成できる。そのため、複数の光ファイバを収容するために複数のトレイを重ね合わせても全体の厚さを僅かなものにでき、トレイを含む光ファイバ収容空間を省スペースで形成できる。そして、３枚の薄板で構成するので、光ファイバ収容部を周囲と分離した空間にでき、光ファイバを安定して収容できる。
また、第１の保持手段を有するので、収納した光ファイバがトレイからはみ出すことがないし、第２の保持手段により最小曲率が規定されるので、光ファイバが引っ張られた状態が発生しても最小曲率を割り込むことがなく、折れたり特性が劣化するようなことがない。更に挟持手段を有するので、光ファイバを良好に収納することができる。
また、合成樹脂で形成することで、トレイを薄くても堅牢に作製でき、収納した光ファイバの量に拘わらず適度に変形して（膨らみ具合が変わって）ストレスを加えることなく収納できる。また、薄板の一体形成も容易であるし、透明に形成することができ、そうすることで開けることなく光ファイバの収納状態を確認できる。
更に、保持片を別途作製して組み付ける必要が無く、安価に作製できる。
【００１５】
尚、この実施形態では、薄板１同士の連結部は薄肉形成しているが、点線状の切り込みを入れて曲げやすくしても良い。また、中央の薄板１ｂのみに光ファイバ保持片４を設けているが、上側薄板１ａ或いは下側薄板１ｃにも光ファイバ保持片４を設けて光ファイバを保持可能としても良い。こうすることで、１つのトレイで複数の光ファイバ余長分を収納できる。また、トレイは３枚の薄板で形成されているが、２枚を連結しただけでも光ファイバの収納は可能であるし、４枚以上連結した場合は光ファイバ収容部を多数設けることが可能となる。
【００１６】
図３は上記トレイを収容するトレイ収容構造を示している。図３（ａ）はトレイ収容構造とトレイの関係を示す説明図であり、図３（ｂ）はトレイ収容構造にトレイを収容した正面図を示している。トレイ収容構造は、トレイを懸架する懸架手段としての一対のフック体１１と、トレイ下部を保持する一対の下部保持手段１２と、トレイ左右端部を保持する一対の側部保持手段１３とで構成され、何れも後方から前方に突出させて形成されている。尚、１０は光ファイバ余長収納トレイである。
【００１７】
フック体１１は、先端を上方に折り曲げて形成されたフック１１ａを有し、懸架したトレイ１０の抜けを防止するよう形成されている。そして、フック１１ａの基部となるフック体中央部に分離壁１１ｂが設けられ、分離壁１１ｂの更に後方にはフック体脚部１１ｃが設けられている。この脚部１１ｃは光ファイバ巻回空間を形成するために設けられ、分離壁１１ｂとフック体脚部１１ｃとで光ファイバ収容部に収容した光ファイバを保持する光ファイバ保持腕を形成している。
【００１８】
一方、下部保持手段１２は、ここではフック体１１と同一形状で上下対象に形成され、先端部にフック状の曲げ部１２ａ、中央に分離壁１２ｂを有し、分離壁１２ｂ背部には脚部１２ｃが設けられ、分離壁１２ｂとこの脚部１２ｃとで光ファイバ保持腕を形成している。更に、側部保持手段１３は、先端部にトレイ１０を把持するために側方に伸びた一対の把持片１３ａを有して略Ｆ字状に形成され、把持片１３ａ背部には脚部１３ｂを設けて形成され、把持片１３ａの一方とこの脚部１３ｂとで光ファイバ保持腕を形成している。
尚、下部保持手段１２は、側部保持手段１３のように略Ｆ字状に形成しても良い。但し、フック体１１と同一形状とすることで上下反転してもトレイ１０を良好に懸架できると共に保持できる。
【００１９】
こうして図３（ｂ）に示すように、一対のフック体１１と一対の下部保持手段１２と左右一対の側部保持手段１３とで構成されるトレイ収容構造にトレイ１０は懸架収容される。図４はフック体１１に懸架したトレイ１０の要部拡大図，図５はトレイ収容構造に収容したトレイ１０の側面説明図であり、Ｃは光ファイバ巻回空間を示している。この図に示すように、フック体１１に懸架されたトレイ１０は、下部及び側部が下部保持手段１２、側部保持手段１３に保持されて収容される。そして、夫々の脚部１１ｃ，１２ｃ，１３ｂで形成された背部空間にファイバ巻回空間Ｃが形成され、別途光ファイバ２を巻回収容することができる。
【００２０】
尚、トレイ１０は、まず上方から半回転させることで透孔５にフック体１１を挿通し、図４に示すように懸架される。また、通常１つのトレイ１０には１本の光ファイバ余長分が収納されるため、２本収納する場合は図６に示すようにトレイ１０を二段にしてトレイ収容構造に収容される。
【００２１】
このように、収容したトレイの背部でも光ファイバを巻回収容可能とすることで、１つのトレイを用いるだけで先行する分岐前の光ファイバと分岐した光ファイバを分離して収容することが可能となり、メンテナンス作業等がし易くなる。
また、フック体、下部保持手段、側部保持手段により保持するのでトレイを安定して保持できるし、トレイ収容構造に設けた脚部により光ファイバ巻回空間が形成されるので、トレイ背部に光ファイバを良好に巻回収容でき、メンテナンス作業がし易い。
【００２２】
図７〜図９は上記トレイ収容構造を設けて上記トレイを収容した光クロージャの説明図であり、図７は蓋体を開放した正面図、図８は閉じた状態の正面図、図９は右側面図を夫々示している。１５が光クロージャであり、上部に支持線１６に取り付けるための支持線固定部１７を備えた本体１５ａと、本体１５ａの開放された前面を閉塞する蓋体１５ｂとで構成され、双方は下辺で連結されている。
【００２３】
本体１５ａには、中央の上下部位に光ファイバ溶着部を保持する溶着部保持部１８を有し、中央にフック体１１、下部保持手段１２、側部保持手段１３からなる光ファイバ収容構造が設けられ、トレイ１０が収容されている。そして、左右側部には光ファイバ導入部１９が形成されている。尚、見やすくするために図面上トレイ１０をハッチング処理して示している。
光クロージャ１５内に収容されるトレイ１０においては、トレイ１０内に分岐前の導入した光ファイバ５の余長分が収納され、トレイ１０の背部に形成された光ファイバ巻回空間には分岐後の光ファイバ５が収納される。そして、トレイ１０に収納する光ファイバ５が複数の場合は、その数に合わせてトレイ１０を用意し、上記図６に示すようにトレイ収容構造部に重ねて収容される。
【００２４】
このように、上記光ファイバ余長収納トレイを使用することで、光ファイバ収容空間を小さくでき、光クロージャ全体の小型軽量化を図ることができる。また、上記トレイ収容構造を採用することでクロージャ内にて光ファイバを収容するにあたり、光が通っている活線状態の先行配線光ファイバをトレイ内にまとめて収納し、フック体に懸架したままその背部に分岐後の光ファイバを収納操作でき、分岐作業等で活線状態の光ファイバにストレスが加わるようなことがない。
また、トレイ内及びその背部に光ファイバは収容されるので、光クロージャの蓋体等を締める際、光ファイバを挟み込むようなことがない。
【００２５】
尚、上記実施形態においては、光ファイバ余長収納トレイを合成樹脂製フィルムにより作製しているが、他の素材、例えば厚紙で形成することもできる。また、フック体１１に懸架するトレイ１０の構造を透孔５としているが、フック体１１と同様に鉤状に形成しても良い。
また、フック体１１、下部保持手段１２を夫々一対で構成しているが、何れも中央付近に１つ設けるだけでも良い。この場合、トレイ１０に設ける懸架手段も１つ設ければよい。更に、下部保持手段１２は無くとも良く、フック体１１と側部保持手段１３だけでもトレイ１０を懸架保持できるし、背部に光ファイバ巻回空間を形成できる。
また、上記光ファイバ余長収納トレイやトレイ収容構造は、光クロージャ内での使用に限定するものではなく、例えば光成端箱内に於いても光ケーブルの余長収納に使用することができる。
【図面の簡単な説明】
【００２６】
【図１】光ファイバ余長収納トレイの実施形態の一例を示す正面図である。
【図２】図１の光ファイバ収納トレイを折り曲げる途中の斜視図である。
【図３】図１のトレイを収容するトレイ収容構造を示し、（ａ）は説明図、（ｂ）は収容した状態を示す正面図である。
【図４】フック体にトレイを懸架した状態を示す説明図である。
【図５】図３の側面説明図である。
【図６】図３の側面説明図で、トレイを２段に設けた状態を示している。
【図７】図１のトレイを収容した光クロージャを示し、蓋を開けた状態の正面図である。
【図８】図７の光クロージャの蓋を閉じた正面図である。
【図９】図８の光クロージャの右側面図である。
【符号の説明】
【００２７】
１・・薄板、２・・光ファイバ、４・・光ファイバ保持片（光ファイバ保持手段）、４ａ・・舌状片（挟持手段），４ｂ・・舌状片（第１の保持手段）、５・・透孔（懸架手段）、７ａ，７ｂ・・爪片（第２の保持手段）、１０・・トレイ（光ファイバ余長収納トレイ）、１１・・フック体（懸架対象）、１２・・下部保持手段、１３・・側部保持手段、１５・・光クロージャ、Ｃ・・光ファイバ巻回空間。
【図１】
0004638345.tif 000002
【図２】
0004638345.tif 000003
【図３】
0004638345.tif 000004
【図４】
0004638345.tif 000005
【図５】
0004638345.tif 000006
【図６】
0004638345.tif 000007
【図７】
0004638345.tif 000008
【図８】
0004638345.tif 000009
【図９】
0004638345.tif 000010